(57)【要約】【課題】  利便性の高い昇降カーテンを提供する。【解決手段】  昇降カーテン１を、カーテンレール１１と、カーテンレール１１に昇降自在に吊り下げられたカーテン本体１２で構成し、カーテン本体１２をカーテンレール１１から分離して独立できるように構成する。カーテン本体１２の下縁部に、帯状の面ファスナを縫製して端部被係合部２１を設け、端部被係合部２１より上方の部位に帯状の面ファスナを縫製して中途部被係合部３１を設ける。カーテンレール１１に下縁部昇降機構４１を設け、二本の下縁部昇降吊紐４２を出し入れ自在に保持する。下縁部昇降吊紐４２に骨格部材６１を設け、最下部の骨格部材６１にカーテン本体１２の端部被係合部２１と係脱自在に係合する端部係合部８１を設ける。中途部の骨格部材６１に、カーテン本体１２の中途部被係合部３１と係脱自在に係合する中途部係合部８２を設ける。【選択図】        図２
2005177384.tif 000002
【特許請求の範囲】
【請求項１】
カーテンレールに吊り下げられるカーテン本体が前記カーテンレールから垂下した吊紐によって昇降される昇降カーテンにおいて、
前記吊紐に、先端部に固定される端部係合部と、該端部係合部から前記カーテンレールまでの間に移動自在に配置される中途部係合部とを設ける一方、前記カーテン本体に、下端部に固定され前記端部係合部と係脱自在に係合する端部被係合部と、該端部被係合部より上方の部位に固定され前記中途部係合部と係脱自在に係合する中途部被係合部とを設け、前記端部係合部と前記端部被係合部及び前記中途部係合部と前記中途部被係合部を係脱して前記カーテン本体を前記吊紐で吊り下げた取付状態、及び前記カーテン本体と前記吊紐とを分離した取り外し状態を選択的に形成可能に構成したことを特徴とする昇降カーテン。
【請求項２】
前記取付状態にて前記カーテン本体に横設される骨格部材を前記カーテンレールから垂下した複数の前記吊紐で支持するとともに、前記中途部係合部を前記骨格部材を介して前記吊紐に設けたことを特徴とする請求項１記載の昇降カーテン。
【請求項３】
互いに係脱自在に面接触する面ファスナで前記中途部係合部及び前記中途部被係合部を構成し、該中途部被係合部を前記カーテン本体に縫製して固定するとともに、前記中途部被係合部の縫製位置を、前記中途部係合部が係脱される部位に設定したことを特徴とする請求項１又は２記載の昇降カーテン。
【発明の詳細な説明】
【技術分野】
【０００１】
本発明は、例えば窓開口部を覆う昇降カーテンに関する。
【背景技術】
【０００２】
従来、窓開口部からの光を和らげる又は遮断する際にはカーテンが使用されていた。
【０００３】
このカーテンとしては、窓枠上部に固定されるカーテンレールと、該カーテンレールに吊り下げられたカーテン本体とからなる昇降カーテンが知られており、この昇降カーテンでは、カーテンレールより垂下した操作紐を操作することによって、カーテン本体を昇降できるように構成されている。
【発明の開示】
【発明が解決しようとする課題】
【０００４】
しかしながら、このような従来の昇降カーテンにあっては、カーテンレールより垂下した吊紐がカーテン本体に結合されており、カーテン本体を取り外して独立させることができなかった。
【０００５】
このため、カーテン本体を交換又は洗濯する際には、結合された吊紐とカーテン本体との分離を要し、その都度、専門業者に依頼しなければならず、不便であった。
【０００６】
本発明は、このような従来の課題に鑑みてなされたものであり、利便性の高い昇降カーテンを提供することを目的とするものである。
【課題を解決するための手段】
【０００７】
前記課題を解決するために本発明の請求項１の昇降カーテンにあっては、カーテンレールに吊り下げられるカーテン本体が前記カーテンレールから垂下した吊紐によって昇降される昇降カーテンにおいて、前記吊紐に、先端部に固定される端部係合部と、該端部係合部から前記カーテンレールまでの間に移動自在に配置される中途部係合部とを設ける一方、前記カーテン本体に、下端部に固定され前記端部係合部と係脱自在に係合する端部被係合部と、該端部被係合部より上方の部位に固定され前記中途部係合部と係脱自在に係合する中途部被係合部とを設け、前記端部係合部と前記端部被係合部及び前記中途部係合部と前記中途部被係合部を係脱して前記カーテン本体を前記吊紐で吊り下げた取付状態、及び前記カーテン本体と前記吊紐とを分離した取り外し状態を選択的に形成可能に構成した。
【０００８】
すなわち、カーテン本体を交換又は洗濯する際には、吊紐に設けられた端部係合部及び中途部係合部と、カーテン本体に設けられた端部被係合部及び中途部被係合部との係合を解除して取り外し状態を形成し、吊紐とカーテン本体とを分離する。これにより、カーテンレールより垂下した吊紐からカーテン本体が取り外される。
【０００９】
そして、他のカーテン本体又は洗濯したカーテン本体を取り付ける際には、カーテン本体に設けられた端部被係合部及び中途部被係合部を、吊紐に設けられた端部係合部及び中途部係合部に係合して取付状態を形成する。これにより、前記カーテン本体は、カーテンレールより垂下した吊紐に吊り下げられ取り付けられる。
【００１０】
このとき、前記カーテン本体の下端部は、前記吊紐の先端部に固定され、カーテン本体の中途部は、前記吊紐の中途部に移動自在に支持される。このため、前記吊紐が引き上げられた際には、前記カーテン本体は、下縁部より上昇する。また、前記吊紐が降ろされた際には、前記カーテン本体は、下縁部より下降する。
【００１１】
また、請求項２の昇降カーテンにおいては、前記取付状態にて前記カーテン本体に横設される骨格部材を前記カーテンレールから垂下した複数の前記吊紐で支持するとともに、前記中途部係合部を前記骨格部材を介して前記吊紐に設けた。
【００１２】
すなわち、カーテン本体が吊紐に取り付けられた取付状態において、前記カーテン本体には、骨格部材が横設される。これにより、カーテン本体の型くずれが防止される。
【００１３】
また、吊紐からカーテン本体が取り外された取り外し状態では、カーテンレールから垂下した複数の吊紐は、骨格部材によって離間した状態が保たれる。
【００１４】
さらに、請求項３の昇降カーテンでは、互いに係脱自在に面接触する面ファスナで前記中途部係合部及び前記中途部被係合部を構成し、該中途部被係合部を前記カーテン本体に縫製して固定するとともに、前記中途部被係合部の縫製位置を、前記中途部係合部が係脱される部位に設定した。
【００１５】
すなわち、面ファスナで構成された中途部被係合部は、前記カーテン本体に縫製されて固定される。
【００１６】
このとき、前記カーテン本体と前記中途部被係合部とには、両者を貫通するピンホールが形成され、このピンホールから日光が漏れる恐れがある。
【００１７】
しかし、前記中途部被係合部の縫製位置は、前記中途部係合部が係脱される部位に設定されており、該中途部係合部が係合された状態で、前記ピンホールが当該中途部係合部によって隠蔽される。
【発明の効果】
【００１８】
以上説明したように本発明の請求項１の昇降カーテンにあっては、吊紐に設けられた端部係合部及び中途部係合部と、カーテン本体に設けられた端部被係合部及び中途部被係合部とを係脱するだけで、カーテン本体の昇降機能を損なうこと無く、カーテン本体と吊紐とを着脱することができる。
【００１９】
これにより、カーテンレールが窓枠に固定された場合であっても、前記カーテン本体のみを取り外して独立させることができる。したがって、専門業者に依頼すること無く、汚れたカーテン本体を取り外して洗濯したり、他のカーテン本体と交換することができ、利便性の向上を図ることができる。
【００２０】
また、請求項２の昇降カーテンにおいては、カーテン本体が吊紐に取り付けられた取付状態において、前記カーテン本体に骨格部材を横設することで、型くずれを防止することができる。
【００２１】
そして、吊紐からカーテン本体が取り外された取り外し状態では、カーテンレールから垂下した複数の吊紐を、骨格部材によって離間した状態が保持することができる。これにより、取り外し時に吊紐が絡まるといった不具合を未然に防止することができる。
【００２２】
さらに、請求項３の昇降カーテンでは、面ファスナで構成された中途部被係合部をカーテン本体縫製時に固定することができる。
【００２３】
このとき、前記カーテン本体と前記中途部被係合部とには、両者を貫通するピンホールが形成されるが、前記中途部被係合部の縫製位置は、前記中途部係合部が係脱される部位に設定されており、該中途部係合が係合された状態において、当該中途部係合部によって前記ピンホールを隠蔽することができる。
【００２４】
したがって、縫製時に形成されたピンホールから日光が通過するといった不具合を確実に防止することができる。
【発明を実施するための最良の形態】
【００２５】
以下、本発明の一実施の形態を図に従って説明する。図１は、本実施の形態にかかる昇降カーテン１を示す図であり、該昇降カーテン１は、例えば窓開口部からの光を和らげる又は遮断するものである。
【００２６】
この昇降カーテン１は、窓開口部の上部に固定されるカーテンレール１１と、該カーテンレール１１に昇降自在に吊り下げられたカーテン本体１２とによって構成されている。前記カーテン本体１２は、厚手地や薄手地やレール地で構成することができ、本実施の形態では、遮光性の高い厚手地が用いられている。
【００２７】
前記カーテン本体１２は、図２に示すように、縦長の長方形状に形成されており（一側部のみ図示）、前記カーテンレール１１から分離して独立できるように構成されている。このカーテン本体１２の下縁部には、端部被係合部２１が下縁２２に沿って設けられており、該端部被係合部２１は、帯状の面ファスナで構成されている。この端部被係合部２１は、その中央部が全長に渡って縫製され固定されており、当該端部被係合部２１の中央部には、縫製部２３が設定されている。
【００２８】
また、前記カーテン本体１２には、前記端部被係合部２１より上方の部位に複数の中途部被係合部３１，・・・が上下に等間隔をおいて横設されており、各中途部被係合３１，・・・も帯状の面ファスナで構成されている。これら中途部被係合３１も、その中央部が全長に渡って縫製され固定されており、各中途部被係合部３１，・・・の中央部には、縫製部２３，・・・が設定されている。そして、このカーテン本体１２の上縁３２から最上部に設けられた中途部被係合３１との間、及びカーテン本体１２の下縁２２から前記端部被係合部２１との間には、ほぼ同幅の延出部３３，３３が形成されており、上下の入れ替えができるように構成されている。
【００２９】
前記カーテンレール１１は、横長の長尺状に形成されており、図中奥側の表面には、面ファスナが設けられている（図示省略）。この面ファスナと係脱自在に係合する面ファスナを例えばカーテン本体１２上縁部の前記延出部３３に設けた場合、当該カーテンレール１１に直接カーテン本体１２を着脱自在に吊り下げられるように構成されている。なお、本実施の形態では、カーテン本体１２の上縁部を昇降するタイプのため、前記延出部３３に面ファスナーは設けられていないものとする。
【００３０】
そして、この昇降カーテン１には、前記カーテン本体１２の下縁部を任意の位置まで昇降する下縁部昇降手段と、前記カーテン本体１２の上縁部を任意の位置まで昇降する上縁部昇降手段とが設けられている。
【００３１】
前記下縁部昇降手段は、前記カーテンレール１１の奥側に設けられた下縁部昇降機構４１を備えて成り、該下縁部昇降機構４１からは、例えば二本の下縁部昇降吊紐４２，４２が出し入れ自在に保持されている。一方の下縁部昇降吊紐４２の一端部は、前記カーテンレール１１の左端部に設けられたスルーリングを挿通した後、垂下されており（図示省略）、他方の下縁部昇降吊紐４２の一端部は、前記カーテンレール１１の右端部に設けられたスルーリング４３を挿通した後、垂下されている。
【００３２】
前記両下縁部昇降吊紐４２，４２の他端部は、前記下縁部昇降機構４１を挿通して側方から垂下しており、当該昇降カーテン１の側部から引張操作できるように構成されている。前記下縁部昇降機構４１は、前記両下縁部昇降吊紐４２，４２の他端部の操作状態によって、挿通した各下縁部昇降吊紐４２，４２の移動を規制した規制状態と、移動を許容した許容状態とを形成する一般的なロック機構を備えており、前記両下縁部昇降吊紐４２，４２の延出量を任意に変更できるように構成されている。
【００３３】
一方、前記上縁部昇降手段は、前記カーテンレール１１の手前側に設けられた上縁部昇降機構５１を備えて成り、該上縁部昇降機構５１からも、例えば二本の上縁部昇降吊紐５２，５２が出し入れ自在に保持されている。一方の下縁部昇降吊紐５２の一端部は、前記カーテンレール１１の左端部に設けられたスルーリングを挿通した後、垂下されており（図示省略）、他方の下縁部昇降吊紐５２の一端部は、前記カーテンレール１１の右端部に設けられたスルーリング５３を挿通した後、垂下されている。
【００３４】
前記各上縁部昇降吊紐５３，５３の他端部は、前記上縁部昇降機構５１を挿通して側方から垂下しており、当該昇降カーテン１の側部から引張操作できるように構成されている。前記上縁部昇降機構５１は、前記両上縁部昇降吊紐５２，５２の他端部の操作状態によって挿通した両上縁部昇降吊紐５２，５２の移動を規制する規制状態と、移動を許容する許容状態とを形成する一般的なロック機構を備えており、前記各上縁部昇降吊紐５２，５２の一端部の延出量を任意に変更できるように構成されている。
【００３５】
なお、本実施の形態では、カーテンレール１１の右端部に前記両昇降機構４１，５１を設けた場合を例に挙げたが、これに限定されるものでは無く、両昇降機構４１，５１の一方をカーテンレール１１の左端部に他方を右端部に設けても良い。
【００３６】
前記両下縁部昇降吊紐４２，４２及び前記両上縁部昇降吊紐５２，５２には、カーテン本体１２の幅方向に延在する複数の骨格部材６１，・・・が設けられている。各骨格部材６１は、所定の剛性を有した有色のプラスチック製のパイプ材６２と、該パイプ材６２を全長に渡って被覆する布製の袋体６３とを備えてなり、該袋体６３は、帯状の生地の両側縁が全長に渡って縫製されて形成されている。
【００３７】
この袋体６３の上縁には、前記両側縁を縫製する際に縫い込まれたリボン６５，６５を介して円形のリング６６，６６が左端部及び右端部のそれぞれの二箇所に固定されている（右端部のみ図示）。各端部において、外側に配置されたリング６６には、前記下縁部昇降吊紐４２が挿通されており、内側に配置されたリング６６は、前記上縁部昇降吊紐５２が挿通されている。
【００３８】
最下部に配置される骨格部材６１では、前記各昇降吊紐４２，５２が対応するリング６６，６６に結ばれて固定されており、前記各昇降吊紐４２，５２を昇降することで、最下部に配置された骨格部材６１を水平に維持しつつ昇降できるように構成されている。中途部に配置された各骨格部材６１，・・・では、前記各昇降吊紐４２，５２が前記各リング６６，・・・内を移動できるように構成されている。また、最上部に配置された骨格部材６１では、前記リング６６を挿通した前記上縁部昇降吊紐５２に、前記リング６６より大径のストッパ７１がリング６６下部に設けられており、前記上縁部昇降吊紐５２を昇降することで、最上部に配置された骨格部材６１を昇降できるように構成されている。
【００３９】
最下部に配置される骨格部材６１の前記袋体６３には、前記カーテン本体１２の下縁部に設けられた前記端部被係合部２１と係脱自在に係合する端部係合部８１が縫製又は両面テープで固定されており、該端部係合部８１は、帯状の面ファスナで構成されている。また、最下部の骨格部材６１から前記カーテンレール１１までの間に移動自在に配置される前記各骨格部材６１の袋体６３には、前記カーテン本体１２の中途部に設けられた中途部被係合部３１と係脱自在に係合する中途部係合部８２が縫製又は両面テープで固定されており、該中途部係合部８２は、帯状の面ファスナで構成されている。
【００４０】
これにより、前記各吊紐４２，５２には、前記カーテン本体１２の前記端部被係合部２１及び前記中途部被係合部３１，・・・と係脱自在に係合する前記端部係合部８１及び前記中途部係合部８２が前記各骨格部材６１，・・・を介して設けられており、前記端部係合部８１及び前記中途部係合部８２，・・・を前記端部被係合部２１及び前記中途部被係合部３１，・・・に係合することで、図１に示したように、前記各骨格部材６１，・・・が横設された前記カーテン本体１２を前記各吊紐４２，５２で吊り下げた取付状態９１を形成できるように構成されている。このとき、前記各係合部８１，８２，・・・は、前記各被係合部２１，３１，・・・に面接触した状態で係合するため、前記各被係合部２１，３１，・・・の縫製部２３，・・・を覆うように構成されており、前記各被係合部２１，３１，・・・の縫製部２３，・・・は、前記各係合部８１，８２，・・・が係脱される部位に設定されている。
【００４１】
また、前記端部係合部８１及び前記中途部係合部８２，・・・と前記端部被係合部２１及び前記中途部被係合部３１，・・・との係合状態を解除することで、図２に示したように、前記カーテン本体１２を前記骨格部材６１，・・・が設けられた前記各吊紐４２，５２から分離した取り外し状態９２を形成できるように構成されている。
【００４２】
このような昇降カーテン１においてカーテン本体１２で窓開口部を閉鎖する際には、下縁部昇降機構４１より垂下した下縁部昇降吊紐４２，４２の他端部を操作して、前記下縁部昇降機構４１から下縁部昇降吊紐４２，４２の一端部を延出させることにより、図１に示したように、カーテン本体１２の下縁部を下降して閉鎖状態１０１を形成することができる。
【００４３】
また、前記下縁部昇降吊紐４２，４２の他端部を操作して該下縁部昇降吊紐４２，４２の一端部を上昇させることにより、図３に示すように、当該下縁部昇降吊紐４２，４２が固定されたカーテン本体１２の下縁部を上昇することができる。このとき、前記下縁部昇降吊紐４２，４２は、カーテン本体１２の中途部に設けられた骨格部材６１，・・・のリング６６，・・・を移動自在に挿通しており、前記下縁部昇降吊紐４２，４２が結ばれて固定された最下部の骨格部材６１が他の骨格部材６１，・・・に到達した時点より、当該骨格部材６１，・・・が固定されたカーテン本体１２の部位の上昇を開始し、カーテン本体１２を下縁側から上昇した開放状態１０２を形成することができる。
【００４４】
一方、前記上縁部昇降機構５１より垂下した上縁部昇降吊紐５２，５２の他端部を操作して、前記上縁部昇降機構５１から上縁部昇降吊紐５２，５２を延出させた際には、図４に示すように、各上縁部昇降吊紐５２，５２のストッパ７１によって係止された最上部の骨格部材６１を水平状態のまま下降し、カーテン本体１２の上縁部を下降した上部開放状態１０３を形成することができる。また、前記上縁部昇降機構５１より垂下した上縁部昇降吊紐５２，５２の他端部を操作して、上縁部昇降吊紐５２，５２の一端部を上昇することによって、図１に示したように、カーテン本体１２の上縁部を上昇した前記閉鎖状態１０１を形成することができるように構成されている。
【００４５】
以上の構成にかかる本実施の形態において、この昇降カーテン１のカーテン本体１２を交換又は洗濯する際には、各吊紐４２，５２に設けられた骨格部材６１の端部係合部８１及び中途部係合部８２，・・・と、カーテン本体１２に設けられた端部被係合部２１及び中途部被係合部３１，・・・との係合を解除して取り外し状態９２を形成し、各吊紐４２，５２とカーテン本体１２とを分離する。これにより、窓開口部の上部に固定されたカーテンレール１１側の各吊紐４２，５２からカーテン本体１２を取り外すことができる。
【００４６】
そして、他のカーテン本体１２又は洗濯したカーテン本体１２を取り付ける際には、カーテン本体１２に設けられた端部被係合部２１及び中途部被係合部２３，・・・を、各吊紐４２，５２に設けられた骨格部材６１，・・・の端部係合部８１及び中途部係合部８２，・・・に係合して取付状態９１を形成する。これにより、前記カーテン本体１２を、カーテンレール１１より垂下した前記各吊紐４２，５２に吊り下げて取り付けることができる。
【００４７】
このとき、前記カーテン本体１２の下端部は、最下部の骨格部材６１を介して前記各吊紐４２，５２に固定されることとなり、カーテン本体１２の中途部は、中途部に設けられた骨格部材６１，・・・を介して前記各吊紐４２，５２の中途部に移動自在に支持される。このため、前記下縁昇降用吊紐４２が引き上げられた際には、前記カーテン本体１２を下縁部より上昇することができる。また、前記下縁昇降用吊紐４２が降ろされた際には、前記カーテン本体１２を下縁部より下降することができる。
【００４８】
このように、各吊紐４２，５２に設けられた端部係合部８１及び中途部係合部８２，・・・と、カーテン本体１２に設けられた端部被係合部２１及び中途部被係合部３１，・・・とを係脱するだけで、カーテン本体１２の昇降機能を損なうこと無く、カーテン本体１２と各吊紐４２，５２とを着脱することができる。
【００４９】
これにより、カーテンレール１１が窓枠に固定された場合であっても、前記カーテン本体１２のみを取り外して独立させることができる。したがって、専門業者に依頼すること無く、汚れたカーテン本体１２を取り外して洗濯したり、他のカーテン本体１２と交換することができ、利便性の向上を図ることができる。
【００５０】
また、カーテン本体１２が取り付けられた取付状態９１において、前記カーテン本体１２に骨格部材６１，・・・を横設することができる。これにより、カーテン本体１２の弛みや型くずれを防止することができる。
【００５１】
そして、各吊紐４２，５２からカーテン本体１２が取り外された取り外し状態９２では、カーテンレール１１から垂下した各吊紐４２，４２，５２，５２を、各骨格部材６１，・・・によって離間した状態に維持することができる。これにより、取り外し時に各吊紐４２，４２，５２，５２同士が絡まるといった不具合を未然に防止することができる。
【００５２】
そして、面ファスナで構成された前記各被係合部２１，３１，・・・は、前記カーテン本体１２に縫製されて固定されており、前記カーテン本体１２と各被係合部２１，３１，・・・とには、両者を貫通するピンホールが形成され、このピンホールから日光が漏れる恐れがある。
【００５３】
しかし、前記各被係合部２１，３１，・・・の縫製部２３，・・・は、前記骨格部材６１，・・・に設けられた各係合部８１，８２，・・・が係脱される部位に設定されており、各係合部８１，８２，・・・を係合された状態で、前記ピンホールを各係合部８１，８２，・・・で隠蔽することができる。
【００５４】
したがって、縫製時に形成されたピンホールから日光が通過するといった不具合を確実に防止することができる。
【００５５】
さらに、前記各係合部８１，８２，・・・は、骨格部材６１の袋体６３に設けられており、該袋体６３には、有色のプラスチックからなるパイプ材６２が収容されている。このため、遮光性をさらに高めることができる。
【００５６】
なお、本実施の形態では、骨格部材６１とカーテン本体１２とを面ファスナで係脱自在に係合した場合を例に挙げて説明したが、これに限定されるものでは無く、例えば通常のファスナーやボタン等で構成しても良い。
【００５７】
また、前記骨格部材６１は、帯状のアルミ板やプラスチック板に面ファスナを固定して構成しても良い。
【図面の簡単な説明】
【００５８】
【図１】本発明の一実施の形態を示す要部の斜視図である。
【図２】同実施の形態の要部を示す分解斜視図である。
【図３】同実施の形態の開放状態を示す図である。
【図４】同実施の形態の上部開放状態を示す図である。
【符号の説明】
【００５９】
１    昇降カーテン
１１    カーテンレール
１２    カーテン本体
２１    端部被係合部
２３    縫製部
３１    中途部被係合部
４２    下縁昇降用吊紐
６１    骨格部材
８１    端部係合部
８２    中途部係合部
９１    取付状態
９２    取り外し状態
【図１】
2005177384.tif 000003
【図２】
2005177384.tif 000004
【図３】
2005177384.tif 000005
【図４】
2005177384.tif 000006